(57)【特許請求の範囲】
【請求項１】
患者に処方された処方箋および調剤に関する情報である処方箋・調剤情報が格納された処方箋・調剤情報データベースを記憶する処方箋・調剤情報記憶手段と、
当該処方箋・調剤情報を匿名化処方箋・調剤情報に変換して、匿名化処方箋・調剤情報データベースを作成する処方箋・調剤情報匿名化手段と、
治験の所定基準を示す治験情報を格納した治験情報データベースを記憶する治験情報記憶手段と、
前記匿名化処方箋・調剤情報と、前記治験情報とのデータ照合により、前記所定基準を満たす治験適合患者をスクリーニングし、治験適合患者情報データベースを構築して治験適合患者情報記憶手段に記憶する治験適合患者情報データベース構築手段と、を備え、
前記治験適合患者情報データベース構築手段は、患者アウトカム情報である患者由来情報を、さらに治験適合患者情報データベースに格納する治験適合患者選択装置であって、
ここで、前記治験適合患者選択装置は、患者又は患者の管理者に操作される患者端末にネットワークを介して接続される治験適合患者選択装置であって、
前記患者端末から前記治験適合患者選択装置に送信された、当該患者に関する個別患者情報を受信する個別患者情報受信手段と、
前記治験適合患者選択装置から前記患者端末に、前記患者を識別する患者識別情報を送信する患者識別情報送信手段と、
を、さらに備える、治験適合患者選択装置。
【請求項２】
患者又は患者の管理者に操作される患者端末と、さらに、薬局の薬剤師に操作される薬局端末と、にネットワークを介して接続される治験適合患者選択装置であって、
さらに、前記薬局端末から前記治験適合患者選択装置に送信された、前記患者識別情報と対応付けられた前記患者の個別調剤情報を受信する個別調剤情報受信手段と、
前記処方箋・調剤情報データベースの前記患者識別情報と、前記個別患者情報と、前記個別調剤情報と、が対応付けられた前記処方箋・調剤情報データベースを構築する処方箋・調剤情報データベース構築手段と、
を備える、請求項１に記載の治験適合患者選択装置。
【請求項３】
前記患者由来情報が、治験への患者同意情報、患者服薬情報、患者ＱＯＬ情報及び患者身体関連情報であることを特徴とする、請求項１又は２に記載の治験適合患者選択装置。
【請求項４】
前記処方箋・調剤情報匿名化手段により、前記処方箋・調剤情報における患者個人を特定するデータが匿名化された匿名化処方箋・調剤情報が作成されることを特徴とする、請求項１から３のいずれか１項に記載の治験適合患者選択装置。
【請求項５】
前記患者個人を特定するデータが、氏名、住所及び生年月日であることを特徴とする、請求項４に記載の治験適合患者選択装置。
【請求項６】
前記治験の所定基準が、治験患者の選択基準、治験患者の除外基準および医療機関所在地を含むことを特徴とする、請求項１から５のいずれか１項に記載の治験適合患者選択装置。
【請求項７】
前記治験患者の選択基準が、年齢、性別、処方薬および住所であることを特徴とする、請求項６に記載の治験適合患者選択装置。
【請求項８】
前記治験患者の除外基準が、除外基準薬であることを特徴とする、請求項６に記載の治験適合患者選択装置。
【請求項９】
前記除外基準薬が、ＹＪコードに展開されていることを特徴とする、請求項８に記載の治験適合患者選択装置。
【請求項１０】
前記治験適合患者選択装置が、前記治験適合患者情報データベースを参照して医療機関ごとの治験適合患者の数を算出する治験適合患者数算出手段を、さらに備えることを特徴とする、請求項１から９のいずれか１項に記載の治験適合患者選択装置。
【請求項１１】
前記患者識別情報が、１次元バーコード情報であることを特徴とする請求項１に記載の治験適合患者選択装置。
【請求項１２】
前記患者識別情報が、１次元バーコード情報であることを特徴とする請求項２に記載の治験適合患者選択装置。
【請求項１３】
前記薬局端末が、レセプトコンピュータであることを特徴とする請求項２または１２に記載の治験適合患者選択装置。
【請求項１４】
前記治験適合患者選択装置は、さらに、
前記治験適合患者選択装置から前記患者端末に、前記個別調剤情報に基づき、服薬を促す服薬支援情報を送信する服薬支援情報送信手段と、
前記患者端末から前記治験適合患者選択装置に送信された、服薬が完了したことを示す服薬完了情報を受信する服薬完了情報受信手段と、
を備え、
前記処方箋・調剤情報データベース構築手段は、さらに、前記服薬完了情報が対応付けられた処方箋・調剤情報データベースを構築する、請求項１、２、１１〜１３のいずれか１項に記載の治験適合患者選択装置。
【請求項１５】
前記治験適合患者選択装置は、さらに、
前記処方箋・調剤情報データベースを参照して、前記服薬完了情報を累積的に示す服薬実績情報を作成して、前記患者端末に送信する服薬実績情報送信手段を備える、請求項１４に記載の治験適合患者選択装置。
【請求項１６】
前記患者端末に、さらに、
医薬品情報データベースの医薬品情報を送信する医薬品情報送信手段を備える請求項１５に記載の治験適合患者選択装置。
【請求項１７】
請求項２、１２〜１６のいずれか１項に記載の治験適合患者選択装置と、当該治験適合患者選択装置にネットワークを介して接続される、前記患者端末と、前記薬局端末と、を備える治験適合患者選択システム。
【請求項１８】
患者に処方された処方箋および調剤に関する情報である処方箋・調剤情報が格納された処方箋・調剤情報データベースを記憶する処方箋・調剤情報記憶手段と、治験の所定基準を示す治験情報を格納した治験情報データベースを記憶する治験情報記憶手段と、を備える治験適合患者選択装置が実行する治験適合患者選択方法であって、
当該処方箋・調剤情報を匿名化処方箋・調剤情報に変換して、匿名化処方箋・調剤情報データベースを作成する処方箋・調剤情報匿名化ステップと、
前記匿名化処方箋・調剤情報と前記治験情報とのデータ照合により、前記所定基準を満たす治験適合患者をスクリーニングして、治験適合患者情報データベースを構築して治験適合患者情報記憶手段に記憶する治験適合患者情報データベース構築ステップと、を有し、
前記治験適合患者情報データベース構築ステップにおいて、患者アウトカム情報である患者由来情報を、さらに治験適合患者情報データベースに格納する治験適合患者選択方法であり、
ここで、患者又は患者の管理者に操作される患者端末にネットワークを介して接続される前記治験適合患者選択装置が実行する治験適合患者選択方法であって、
前記患者端末から前記治験適合患者選択装置に送信された、当該患者に関する個別患者情報を受信する個別患者情報受信ステップと、
前記治験適合患者選択装置から前記患者端末に、前記患者を識別する患者識別情報を送信する患者識別情報送信ステップと、
を、さらに有する、治験適合患者選択方法。
【請求項１９】
患者又は患者の管理者に操作される患者端末と、さらに、薬局の薬剤師に操作される薬局端末と、にネットワークを介して接続される前記治験適合患者選択装置が実行する治験適合患者選択方法であって、
さらに、前記薬局端末から前記治験適合患者選択装置に送信された、前記患者識別情報と対応付けられた前記患者の個別調剤情報を受信する個別調剤情報受信ステップと、
前記処方箋・調剤情報データベースの前記患者識別情報と、前記個別患者情報と、前記個別調剤情報と、が対応付けられた前記処方箋・調剤情報データベースを構築する処方箋・調剤情報データベース構築ステップと、
を有する、請求項１８に記載の治験適合患者選択方法。
【発明の詳細な説明】
【技術分野】
【０００１】
本発明は、治験適合患者に関する情報を提供することができる治験適合患者選択装置に関する。
【背景技術】
【０００２】
従来から、治験被験者の募集は、主として、治験を実施する医療機関に入院または来院する患者を対象に行われてきた。すなわち、治験コーディネーターがカルテの内容を確認しながら対象となる患者をさがすことにより行われてきている。
また、製薬会社による治験被験者の公募広告が認められるようになり、新聞、雑誌、テレビおよびインターネットなどを通じて治験被験者を募集することも広く行われている。患者パネル（事前に登録した患者のリスト）をもっている会社が、製薬会社やＣＲＯに販売していることもある。
【０００３】
さらに、治験参加希望者からのインターネットを介した治験仲介者のサーバによる被験者募集／選定の試みも行われている（下記特許文献１および２）。
【先行技術文献】
【特許文献】
【０００４】
【特許文献１】特開２０１１−２３３０６６号公報
【特許文献２】特開２００８−１８６０３９号公報
【発明の概要】
【発明が解決しようとする課題】
【０００５】
しかしながら、上述のような試みにもかかわらず、治験を実施する医療機関の選定や患者のスケジュール通りの治験被験者の募集は難しいという問題点があり、治験・アドヒアランス調査等において、単に、どの病院に対象となる可能性のある患者が何人くらいいるかという情報を得ること、および治験開始後の被験者脱落を防ぐことも課題とされていた。また、患者プライバシーの保護を前提とする治験被験者の募集も課題とされていた。
【０００６】
一方、近年、いわゆる患者由来情報の重要性への認識が高まり、競合薬、患者の慢性疾患および健康診断データなどを含む電子データベース、例えばＰＨＴ社製ｅＰＲＯ（Patient Reported Outcome）なども販売されている。治験被験者に関する情報にも、患者由来情報を反映させることが課題とされていた。
【０００７】
本発明の目的は、治験被験者の募集を促進する情報を提供可能で、患者プライバシーの保護を確保可能な、患者由来情報に基づいて正確な服薬情報により治験被験者の治験からの脱落を防止することのできる、治験適合患者選択装置、システム及び方法、並びに当該装置と、当該装置にネットワークを介して接続された、患者又は患者の管理者に操作される患者端末と、薬局の薬剤師に操作される薬局端末と、を備える治験適合患者選択システムを提供することにある。
【課題を解決するための手段】
【０００８】
すなわち、本発明に係る治験適合患者選択装置は、以下の通りである。
［１］
患者に処方された処方箋および調剤に関する情報である処方箋・調剤情報が格納された処方箋・調剤情報データベースを記憶する処方箋・調剤情報記憶手段と、
当該処方箋・調剤情報を匿名化処方箋・調剤情報に変換して、匿名化処方箋・調剤情報データベースを作成する処方箋・調剤情報匿名化手段と、
治験の所定基準を示す治験情報を格納した治験情報データベースを記憶する治験情報記憶手段と、
前記匿名化処方箋・調剤情報と、前記治験情報とのデータ照合により、前記所定基準を満たす治験適合患者をスクリーニングし、治験適合患者情報データベースを構築して治験適合患者情報記憶手段に記憶する治験適合患者情報データベース構築手段と、
を備える治験適合患者選択装置。
［２］
前記治験適合患者情報データベース構築手段が、患者由来情報を、さらに治験適合患者情報データベースに格納する［１］に記載の治験適合患者選択装置。
［３］
前記患者由来情報が、治験への患者同意情報、患者服薬情報、患者ＱＯＬ情報及び患者身体関連情報であることを特徴とする、［２］に記載の治験適合患者選択装置。
［４］
患者又は患者の管理者に操作される患者端末と、薬局の薬剤師に操作される薬局端末と、にネットワークを介して接続される治験適合患者選択装置であって、
前記患者端末から前記治験適合患者選択装置に送信された、当該患者に関する個別患者情報を受信する個別患者情報受信手段と、
前記治験適合患者選択装置から前記患者端末に、前記患者を識別する患者識別情報を送信する患者識別情報送信手段と、
前記薬局端末から前記治験適合患者選択装置に送信された、前記患者識別情報と対応付けられた前記患者の個別調剤情報を受信する個別調剤情報受信手段と、
前記処方箋・調剤情報データベースの前記患者識別情報と、前記個別患者情報と、前記個別調剤情報と、が対応付けられた前記処方箋・調剤情報データベースを構築する処方箋・調剤情報データベース構築手段と、
を、さらに備える、［１］から［３］のいずれか１項に記載の治験適合患者選択装置。
［５］
前記処方箋・調剤情報匿名化手段により、前記処方箋・調剤情報における患者個人を特定するデータが匿名化された匿名化処方箋・調剤情報が作成されることを特徴とする、［１］から［４］いずれか１項に記載の治験適合患者選択装置。
［６］
前記患者個人を特定するデータが、氏名、住所及び生年月日であることを特徴とする、［５］に記載の治験適合患者選択装置。
［７］
前記治験の所定基準が、治験患者の選択基準、治験患者の除外基準および医療機関所在地であることを特徴とする、［１］から［６］のいずれか１項に記載の治験適合患者選択装置。
［８］
前記治験患者の選択基準が、年齢、性別、処方薬および住所であることを特徴とする、［７］に記載の治験適合患者選択装置。
［９］
前記治験患者の除外基準が、除外基準薬であることを特徴とする、［７］に記載の治験適合患者選択装置。
［１０］
前記除外基準薬が、ＹＪコードに展開されていることを特徴とする、［９］に記載の治験適合患者選択装置。
［１１］
前記治験適合患者選択装置が、前記治験適合患者情報データベースを参照して医療機関ごとの治験適合患者の数を算出する治験適合患者数算出手段を、さらに備えることを特徴とする、［１］から［１０］のいずれか１項に記載の治験適合患者選択装置。
［１２］
前記患者識別情報が、１次元バーコード情報であることを特徴とする［４］から［１１］のいずれか１項に記載の治験適合患者選択装置。
［１３］
前記薬局端末が、レセプトコンピュータであることを特徴とする［４］から［１２］のいずれか１項に記載の治験適合患者選択装置。
［１４］
前記治験適合患者選択装置は、さらに、
前記治験適合患者選択装置から前記患者端末に、前記個別調剤情報に基づき、服薬を促す服薬支援情報を送信する服薬支援情報送信手段と、
前記患者端末から前記治験適合患者選択装置に送信された、服薬が完了したことを示す服薬完了情報を受信する服薬完了情報受信手段と、
を備え、
前記処方箋・調剤情報データベース構築手段は、さらに、前記服薬完了情報が対応付けられた処方箋・調剤情報データベースを構築する、［４］から［１３］のいずれか１項に記載の治験適合患者選択装置。
［１５］
前記治験適合患者選択装置は、さらに、
前記処方箋・調剤情報データベースを参照して、前記服薬完了情報を累積的に示す服薬実績情報を作成して、前記患者端末に送信する服薬実績情報送信手段を備える、［１４］に記載の治験適合患者選択装置。
［１６］
前記患者端末に、さらに、
医薬品情報データベースの医薬品情報を送信する医薬品情報送信手段を備える［１５］に記載の治験適合患者選択装置。
［１７］
［１］から［１６］のいずれか１項に記載の治験適合患者選択装置と、当該治験適合患者選択装置にネットワークを介して接続される、前記患者端末と、前記薬局端末と、を備える治験適合患者選択システム。
［１８］
処方箋および調剤情報が格納された処方箋・調剤情報データベースを記憶する処方箋・調剤情報記憶ステップと、
当該処方箋・調剤情報を匿名化処方箋・調剤情報に変換して、匿名化処方箋・調剤情報データベースを作成する処方箋・調剤情報匿名化ステップと、
前記匿名化処方箋・調剤情報と前記治験情報とのデータ照合により、前記所定基準を満たす治験適合患者をスクリーニングして、治験適合患者情報データベースを構築して、治験の所定基準を示す治験情報を格納した治験情報データベースを記憶する治験適合患者情報記憶手段に記憶する治験適合患者情報データベース構築ステップと、
を有する治験適合患者選択方法。
［１９］
患者又は患者の管理者に操作される患者端末と、薬局の薬剤師に操作される薬局端末と、にネットワークを介して接続される治験適合患者選択装置が実行する治験適合患者選択方法であって、
前記患者端末から前記治験適合患者選択装置に送信された、当該患者に関する個別患者情報を受信する個別患者情報受信ステップと、
前記治験適合患者選択装置から前記患者端末に、前記患者を識別する患者識別情報を送信する患者識別情報送信ステップと、
前記薬局端末から前記治験適合患者選択装置に送信された、前記患者識別情報と対応付けられた前記患者の個別調剤情報を受信する個別調剤情報受信ステップと、
前記処方箋・調剤情報データベースの前記患者識別情報と、前記個別患者情報と、前記個別調剤情報と、が対応付けられた前記処方箋・調剤情報データベースを構築する処方箋・調剤情報データベース構築ステップと、
を、さらに有する、［１８］に記載の治験適合患者選択方法。
【発明の効果】
【０００９】
本発明の治験適合患者選択システムによれば、患者に処方された処方箋および調剤に関する情報である処方箋・調剤情報から変換された匿名化処方箋・調剤情報と、治験の所定基準を示す治験情報とのデータ照合により、この所定基準を満たす治験適合患者をスクリーニングできる。これにより、例えば、処方箋・調剤情報が処方箋を作成した病院を識別する情報を含んでいる場合、どの病院に治験の対象となる可能性のある患者が何人くらいいるかという治験適合患者情報を、治験を実施しようとする製薬会社および医療機関に提供することができ、治験実施可能医療機関の検索および治験被験者募集を促進することができる。また、患者情報を匿名化することにより、同時に患者のプライバシー情報が流出しない仕組みを実現することができる。さらに、患者由来情報に基づいた治験適合患者情報の提供が可能で、治験からの被験者脱落も防ぐことができる。
【図面の簡単な説明】
【００１０】
【図１】本発明の実施形態に係る、治験適合患者選択装置における治験適合患者選択の概要を示す図である。
【図２】本発明の実施形態に係る、患者又は患者の管理者に操作される患者端末と、薬局の薬剤師に操作される薬局端末と、にネットワークを介して接続される治験適合患者選択装置における患者情報登録及び処方箋・調剤情報データベースの構築の概要を示す図である。
【図３】本発明の実施形態に係る、患者又は患者の管理者に操作される患者端末と、薬局の薬剤師に操作される薬局端末と、にネットワークを介して接続される治験適合患者選択装置における患者服薬情報記憶の概要を示す図である。
【図４】本発明の実施形態に係る治験適合患者選択装置の機能構成を示す図である。
【図５】本発明の実施形態に係る治験適合患者選択方法のフローを示す図である。
【図６】本発明の実施形態に係る治験適合患者選択方法のフローを示す図である。
【図７】本発明の実施形態に係る治験適合患者選択方法のフローを示す図である。
【発明を実施するための形態】
【００１１】
以下に、本発明の実施形態を図面に基づいて詳細に説明する。
【００１２】
（本発明の実施形態に係る治験適合患者選択装置における治験適合患者選択）
図１は、本発明の実施形態に係る、治験適合患者選択装置における治験適合患者選択の概要の概要を示す図である。
当該治験適合患者選択装置は、患者に処方された処方箋および調剤に関する情報である処方箋・調剤情報が格納された処方箋・調剤情報データベース（以下、処方箋・調剤情報ＤＢとも言う。）を記憶する処方箋・調剤情報記憶手段と、
前記処方箋・調剤情報を匿名化処方箋・調剤情報に変換して、匿名化処方箋・調剤情報データベース（以下、匿名化処方箋・調剤情報ＤＢとも言う。）を作成する処方箋・調剤情報匿名化手段と、
治験の所定基準を示す治験情報を格納した治験情報データベース（以下、治験情報ＤＢとも言う。）を記憶する治験情報記憶手段と、
前記匿名化処方箋・調剤情報と、前記治験情報とのデータ照合により、前記所定基準を満たす治験適合患者をスクリーニングし、治験適合患者情報データベース（以下、治験適合患者情報ＤＢとも言う。）を構築して治験適合患者情報記憶手段に記憶する治験適合患者情報データベース構築手段と、
を備えることを特徴とする。
【００１３】
前記治験適合患者選択装置は、上記構成を有することにより、治験適合患者情報を、治験を実施しようとする製薬会社および医療機関に提供することもでき、治験実施可能医療機関の検索および治験被験者募集を促進することができる。また、患者情報を匿名化することにより、同時に患者のプライバシー情報が流出しない仕組みを実現することができる。
【００１４】
本発明において「治験」には、医薬品の候補物質を用いた国の承認を得るための成績を集める臨床試験、すなわち、承認申請のための「治験」だけでなく、承認後の「臨床試験・臨床研究」も含まれる。
【００１５】
前記治験適合患者選択装置は、図１に示すとおり、処方箋・調剤情報データベースと、匿名化処方箋・調剤情報データベースと、治験情報データベースと、治験適合患者情報データベースと、を備える。
前記治験適合患者選択装置は、後述する患者端末および薬局端末からの受信情報を対応付けて構築された、患者の処方箋および調剤情報が格納された処方箋・調剤情報データベースの処方箋・調剤情報を匿名化することにより、匿名化処方箋・調剤情報に変換して、匿名化処方箋・調剤情報データベースを作成する。
また、前記治験適合患者選択装置は、匿名化処方箋・調剤情報と、製薬会社等から入手され、治験情報データベースに格納された、治験の所定基準を示す治験情報と、のデータ照合を行うことにより、前記所定基準を満たす治験適合患者がスクリーニングされた、治験適合患者情報を格納する治験適合患者情報データベースを構築する。
【００１６】
前記治験適合患者選択装置は、いわゆるクラウドコンピュータであることが好ましい。後述のように、クラウドコンピュータにより、患者又は患者の管理者、薬局、薬剤師などのユーザーは、コンピュータによる処理やデータの格納をネットワーク経由で利用することができる。
前記ネットワークは、前記治験適合患者選択装置と、各端末を接続するコンピュータネットワークであれば種々のネットワークを挙げることができる。好ましくは、インターネットである。
【００１７】
図４は、本発明の実施形態に係る治験適合患者選択装置の機能構成を示す図である。
本実施形態に係る治験適合患者選択装置１００は、図４に示すとおり、患者又は患者の管理者に操作される患者端末３００と、薬局の薬剤師に操作される薬局端末４００と、にネットワークを介して接続されている。
治験適合患者選択装置１００は、処方箋・調剤情報記憶手段１６０、処方箋・調剤情報匿名化手段１７０、匿名化処方箋・調剤情報記憶手段１８０、治験情報記憶手段１９０、治験適合患者情報記憶手段２１０、治験適合患者情報データベース構築手段２００を備える。
治験適合患者選択装置１００は、処方箋・調剤情報記憶手段１６０により処方箋・調剤情報データベースに格納された処方箋・調剤情報を、処方箋・調剤情報匿名化手段１７０により匿名化処方箋・調剤情報に変換して、匿名化処方箋・調剤情報データベースを作成し、匿名化処方箋・調剤情報記憶手段１８０に記憶する。
治験適合患者選択装置１００は、匿名化処方箋・調剤情報データベースに格納された匿名化処方箋・調剤情報と、治験情報データベースに格納された治験の所定基準を示す治験情報とを、治験適合患者情報データベース構築手段２００により、データ照合し、所定基準を満たす治験適合患者をスクリーニングして、治験適合患者情報を治験適合患者情報データベースに格納する。
【００１８】
治験適合患者選択装置１００により得られた匿名化された治験適合患者情報は、患者に調剤した薬局において復名化することができる。薬局の薬剤師は、復名化した患者情報を用いて、例えば、患者に対する治験への勧誘、患者への啓蒙などを実施することができる。また、薬局の薬剤師は、調査対象に適合した患者による調査票の記入、患者からの聞き取りなどにより、患者の服薬情報、患者ＱＯＬ情報、患者身体関連情報などの取得をすることができる。患者身体関連情報は、患者の身体に関する情報であり、患者日誌及び家庭で利用可能な医療機器などにより得ることができる。当該薬局の薬剤師は、これらの患者由来情報を治験適合患者選択装置に提供することができる。
【００１９】
治験適合患者選択装置１００の治験適合患者情報データベース構築手段２００は、前記患者由来情報、いわゆる患者アウトカム情報を、さらに対応付けて治験適合患者情報データベースに格納することができる。前記患者由来情報には、前述のとおり、治験への患者同意情報、患者服薬情報、患者ＱＯＬ情報、患者身体関連情報などが含まれる。
【００２０】
処方箋・調剤情報匿名化手段１７０は、処方箋・調剤情報における患者個人を特定するデータを匿名化して、匿名化処方箋・調剤情報を作成する。匿名化は、当該データの削除または匿名化に用いられる周知の方法により実行される。患者個人を特定するデータとしては、氏名、住所及び生年月日を挙げることができる。
【００２１】
治験情報は、治験患者の選択基準、治験患者の除外基準および医療機関所在地を含む。治験患者の選択基準としては、一般に、年齢、性別、処方薬および住所などを挙げることができる。治験患者の除外基準としては、一般に、除外基準薬を挙げることができる。
【００２２】
除外基準薬は、一般に、ＹＪコードに展開された除外基準薬が用いられる。除外基準薬は、一般に、医薬品の一般名や一般名の群で表現されるため、統一名収載品目の個々の商品にも別々のコードを付したＹＪコードに展開して、治験適合患者選択を行うことが好ましい。
【００２３】
治験適合患者選択装置１００は、治験適合患者情報データベースを参照して医療機関ごとの治験適合患者の数を算出する治験適合患者数算出手段を、さらに備えることができる。これにより、治験適合患者選択装置１００により、医療機関ごとの治験適合患者数の提供が可能である。
【００２４】
治験適合患者選択装置１００により得られた匿名化された治験適合患者情報は、前述のとおり、薬局の薬剤師により活用され、当該薬局で得られた患者情報は、さらに治験適合患者情報データベースに格納され、製薬会社および医療機関に提供される治験適合患者情報を構成する。
【００２５】
本願発明にかかる治験適合患者選択装置は、以上のように、治験被験者の募集を促進する情報を提供可能で、患者プライバシーの保護を確保可能な、患者由来情報に基づいて正確な服薬情報により治験被験者の治験からの脱落を防止することができる。また、通常の市販後調査では、患者背景に偏りが存在する可能性があるが、本願発明にかる治験適合患者選択装置によれば、該当する全患者の中から無作為に抽出する、または患者背景を偏りがないように抽出するなどして、調査の精度を高めることが可能である。
【００２６】
（本発明の実施形態に係る治験適合患者選択装置における患者情報登録及び処方箋・調剤情報データベースの構築）
図２は、本発明の実施形態に係る、患者又は患者の管理者に操作される患者端末と、薬局の薬剤師に操作される薬局端末と、にネットワークを介して接続される治験適合患者選択装置における患者情報登録及び処方箋・調剤情報データベースの構築の概要を示す図である。
本発明の実施形態に係る治験適合患者選択装置は、患者又は患者の管理者に操作される患者端末と、薬局の薬剤師に操作される薬局端末と、にネットワークを介して接続される治験適合患者選択装置であって、
前記患者端末から前記治験適合患者選択装置に送信された、当該患者に関する個別患者情報を受信する個別患者情報受信手段と、
前記治験適合患者選択装置から前記患者端末に、前記患者を識別する患者識別情報を送信する患者識別情報送信手段と、
前記薬局端末から前記治験適合患者選択装置に送信された、前記患者識別情報と対応付けられた前記患者の個別調剤情報を受信する個別調剤情報受信手段と、
前記処方箋・調剤情報データベースの前記患者識別情報と、前記個別患者情報と、前記個別調剤情報と、が対応付けられた前記処方箋・調剤情報データベースを構築する処方箋・調剤情報データベース構築手段と、をさらに備えることを特徴とする。
【００２７】
本実施形態に係る治験適合患者選択装置は、上記構成を有することにより、患者由来情報に基づいた治験適合患者情報、すなわち、どの病院に対象となる可能性のある患者が何人くらいいるかという治験適合患者情報を、治験を実施しようとする製薬会社および医療機関に提供することができる。
【００２８】
同時に、本実施形態に係る治験適合患者選択装置は、従来のシステムに比べて患者登録が容易、患者の家族などの患者の管理者も利用可能、どこの薬局でも容易に調剤可能等、さらに患者サービスの向上を図ることができる等の利点を備えた、電子健康手帳を用いた服薬管理システム（例えば、ポケット・ファーマシー（登録商標：株式会社メディカルフロント））としての機能も有する。
【００２９】
本実施形態に係る治験適合患者選択装置は、図２に示すとおり、さらに、調剤情報データベースと、処方箋・調剤情報データベースとを備える。
患者端末から送信された当該患者の個別患者情報を受信して、個別患者情報が前記処方箋・調剤情報データベースに格納されると、前記治験適合患者選択装置は患者識別情報を当該患者の患者端末に送信する。
当該患者が、処方箋及び患者識別情報を薬局に提示すると、当該患者識別情報に対応付けられた調剤情報が、薬局端末より前記治験適合患者選択装置の調剤情報データベースに送信され、当該情報は前記治験適合患者選択装置の処方箋・調剤情報データベースに参照される。
前記治験適合患者選択装置の処方箋・調剤情報データベースに、前記患者識別情報と、前記個別患者情報と、前記個別調剤情報と、が対応付けられた処方箋・調剤情報データベースが構築される。
【００３０】
本実施形態に係る治験適合患者選択装置は、前述のとおり、いわゆるクラウドコンピュータであることが好ましい。クラウドコンピュータにより、患者又は患者の管理者、薬局、薬剤師などのユーザーは、コンピュータによる処理やデータの格納をネットワーク経由で利用することができる。
前記ネットワークは、本実施形態に係る治験適合患者選択装置と、各端末を接続するコンピュータネットワークであれば種々のネットワークを挙げることができる。好ましくは、インターネットである。前記患者識別情報は、患者を識別する電子情報であれば種々のものを用いることができる。前記患者識別情報は、患者が持ち運べるカードへの印刷や患者端末の画面に表示ができ、また薬局が薬局端末に安価な読み取り装置を接続することで最も簡単で確実な入力方法を実現できる点から、１次元バーコード情報であることが好ましい。また、前記薬局端末は、一般に、レセプト（診療報酬明細書）を作成するためのレセプトコンピュータ（「レセコン」ともいう。）であることが好ましい。
【００３１】
図４に示すとおり、治験適合患者選択装置１００は、さらに、個別患者情報受信手段１１０、患者識別情報送信手段１２０、個別調剤情報受信手段１３０、処方箋・調剤情報データベース構築手段１５０、処方箋・調剤情報データベースを備える。
治験適合患者選択装置１００は、患者端末３００から治験適合患者選択装置１００に送信された、当該患者に関する個別患者情報を、個別患者情報受信手段１１０により受信する。
治験適合患者選択装置１００は、治験適合患者選択装置１００から患者端末３００に、患者を識別する患者識別情報を、患者識別情報送信手段１２０により送信する。
治験適合患者選択装置１００は、薬局端末４００から治験適合患者選択装置１００に送信された、患者識別情報と対応付けられた患者の個別調剤情報を、個別調剤情報受信手段１３０により受信する。
治験適合患者選択装置１００の処方箋・調剤情報記憶手段１６０は、患者識別情報と、個別患者情報と、個別調剤情報と、が対応付けられた処方箋・調剤情報データベースを記憶する。
治験適合患者選択装置１００の処方箋・調剤情報データベース構築手段１５０は、処方箋・調剤情報データベースを構築して処方箋・調剤情報記憶手段１６０に記憶する。
【００３２】
患者端末３００は、患者又は患者の管理者に操作される。患者端末３００は、患者自身が操作可能な場合または患者自身の服薬管理が可能な場合には、患者自身によって操作されることが一般的である。しかし、例えば、患者が子供又は高齢者であって、患者自身による操作に困難が伴う場合又は患者自身による服薬管理に困難が伴う場合には、当該患者の管理者が操作することができる。この場合、前記患者の管理者は、一般的には患者の家族のいずれかである。家族登録により、患者の家族が当該患者端末を操作することもできる。
本実施形態における患者端末３００は、患者の管理者によっても操作が可能であるため、患者自身による服薬管理が困難を伴う場合に、患者の管理者が操作できることにより、患者の服薬管理を確実にすることができ、患者への服薬サービスを向上させることができる。また、子供や遠方の親の端末情報が患者の管理者にも見えるため、患者及び患者の管理者に安心感を与えることができる。
【００３３】
患者又は患者の管理者は、患者端末３００により、治験適合患者選択装置１００から送信される当該患者に関する情報を受信する。患者端末３００は、ネットワークに接続されるコンピュータ端末であれば特に限定されないが、好ましくは、スマートフォン、携帯電話、パソコン及びタブレットからなる群から選択されるいずれかである。また、患者端末３００から前記治験適合患者選択装置１００にネットワークを介して接続される患者端末３００は、単一でも複数の端末でもよい。例えば、自宅等の据え付けられたパソコンからも、移動時に携帯するスマートフォンからもアクセスすることができる。個別患者情報の治験適合患者選択装置への送信は、自宅パソコンから落ち着いて行うことも可能である。
【００３４】
個別患者情報は、当該患者を識別するための当該患者に関する種々の情報が含まれ、例えば、患者の名前、性別、血液型、生年月日、住所、電話番号、保険者番号、被保険者番号、既往歴、アレルギー、副作用、予防接種記録、障害等を挙げることができる。
【００３５】
治験適合患者選択装置１００から、患者を識別する患者識別情報を当該患者端末３００に受信した患者又は患者の管理者は、薬局で処方箋を提示して薬を受け取る際に、当該患者端末の患者識別情報を薬剤師に提示する。当該患者より、当該患者の処方箋及び患者識別情報の提示を受けた薬局の薬剤師は、薬局端末４００から、患者識別情報と対応付けられた患者の個別調剤情報を送信する。
【００３６】
本実施形態に係る治験適合患者選択装置１００と、患者端末３００と、薬局端末４００とを備える治験適合患者選択装置システムにおいて、調剤情報は、調剤情報自動送信により、薬局端末４００との連動によって自動的に治験適合患者選択装置１００に取り込まれる。また、薬局端末４００と連動して自動的に治験適合患者選択装置１００に送信される。したがって、患者又は患者の管理者は、薬局端末４００が治験適合患者選択装置１００とネットワークで接続された薬局に処方箋を持っていくだけで、すぐに手元の患者端末３００で調剤情報を確認することができる。
【００３７】
患者端末３００においては、治験適合患者選択装置１００にネットワークで接続される薬局端末４００が備えられた当該薬局（以下、「接続薬局」という。）を検索することができる。患者又は患者の管理者は、これにより接続薬局を知ることができる。薬を処方した薬局が、治験適合患者選択装置１００にネットワークで接続される薬局端末４００が備えられた当該薬局でない薬局（以下、「非接続薬局」という。）の場合において、患者又は患者の管理者は、接続薬局において、非接続薬局で処方された薬を、調剤明細等に記載されたＱＲコード（登録商標）からリーダーで読み取ることもできる。読み取った調剤情報は、治験適合患者選択装置１００に送信される。
【００３８】
以上のように、本実施形態に係る治験適合患者選択装置１００による患者情報登録及び処方箋・調剤情報データベースの構築により、種々の患者サービスの向上がもたらされると同時に、患者由来情報に基づいた処方箋・調剤情報の構築が可能になる。
【００３９】
（本発明の実施形態に係る治験適合患者選択装置における患者服薬情報記憶の概要）
図３は、本発明の実施形態に係る、患者又は患者の管理者に操作される患者端末と、薬局の薬剤師に操作される薬局端末と、にネットワークを介して接続される治験適合患者選択装置における患者服薬情報記憶の概要を示す図である。
本実施形態に係る前記治験適合患者選択装置は、さらに、
前記治験適合患者選択装置から前記患者端末に、前記個別調剤情報に基づき、服薬を促す服薬支援情報を送信する服薬支援情報送信手段と、
前記患者端末から前記治験適合患者選択装置に送信された、服薬が完了したことを示す服薬完了情報を受信する服薬完了情報受信手段と、
を備え、
前記処方箋・調剤情報データベース構築手段は、さらに、前記服薬完了情報が対応付けられた処方箋・調剤情報データベースを構築することを特徴とする。
【００４０】
本実施形態に係る前記治験適合患者選択装置は、さらに、
前記処方箋・調剤情報データベースを参照して、前記服薬完了情報を累積的に示す服薬実績情報を作成して、前記患者端末に送信する服薬実績情報送信手段を備えることを特徴とする。
【００４１】
本実施形態に係る治験適合患者選択装置は、図３に示すとおり、処方箋・調剤情報データベースと、調剤情報データベース（以下、調剤情報ＤＢとも言う。）とを備える。
前記治験適合患者選択装置は、さらに、前記治験適合患者選択装置から前記患者端末に、前記個別調剤情報に基づき、服薬を促す服薬支援情報を送信する。当該患者は、前記服薬支援情報に基づいて服薬し、前記患者端末から前記治験適合患者選択装置に、服薬が完了したことを示す服薬完了情報を送信し、この服薬完了情報を前記服薬管理装置が受信する。
前記治験適合患者選択装置は、さらに、前記服薬完了情報が対応付けられた処方箋・調剤情報データベースを構築する。
また、前記治験適合患者選択装置は、さらに、前記処方箋・調剤情報データベースを参照して、前記服薬完了情報を累積的に示す服薬実績情報を作成して、前記患者端末に服薬実績情を送信する。
【００４２】
図４に示すとおり、治験適合患者選択装置１００は、さらに、調剤情報データベース１４０と、服薬支援情報送信手段２２０、服薬完了情報受信手段２３０、服薬実績情報送信手段２４０を備える。
調剤情報データベース１４０は、薬局端末４００から送信された患者の処方箋・調剤情報が記憶されている。処方箋・調剤情報データベース構築手段１５０は、調剤情報データベース１４０を参照して、処方箋・調剤情報データベースを構築して処方箋・調剤情報記憶手段１６０に記憶する。
治験適合患者選択装置１００は、服薬支援情報送信手段２２０により、個別調剤情報に基づき、服薬支援情報を患者端末３００に送信する。
治験適合患者選択装置１００は、患者端末３００から送信された服薬完了情報を、服薬完了情報受信手段２３０により受信する。
治験適合患者選択装置１００の処方箋・調剤情報データベース構築手段１５０は、服薬完了情報が対応付けられた処方箋・調剤情報データベースを構築する。
治験適合患者選択装置１００の服薬実績情報送信手段２４０は、処方箋・調剤情報データベースを参照して、服薬完了情報を累積的に示す服薬実績情報を作成して、患者端末３００に服薬実績情報を送信する。
【００４３】
治験適合患者選択装置１００は、さらに、患者端末３００に、医薬品情報データベース２８０の医薬品情報を送信する医薬品情報送信手段２５０を備える、ことを特徴とする。患者又は患者の管理者は、服薬支援情報又は服薬実績情報を閲覧する場合に、さらに治験適合患者選択装置１００から送信される医薬品情報を参照することができる。また、患者又は患者の管理者は、処方箋やお薬手帳が手元になくても、医薬品情報を検索することができる。医薬品情報には、医薬品の一般名、ブランド名、用法、用量、形状、写真、当該医薬品のジェネリック医薬品、既往歴、アレルギー、副作用情報、予防接種録情報などが含まれる。医薬品情報としては、例えば、メディサーブＩＩ（登録商標：株式会社メディカルフロント）を挙げることができる。
【００４４】
服薬支援情報は、患者に服薬を支援する服薬支援メールであることが好ましい。また、服薬支援情報が、服薬する薬の種類、服薬する日時、用法、用量などを含む。また、前記服薬完了情報は、服薬した薬の種類、服薬した日時、用法、用量、備考（薬剤師のコメント）などを含む。
【００４５】
本実施形態に係る前記治験適合患者選択装置により、服薬における自己管理を容易にすることができる。また、服薬管理に際し、医薬品情報を参照できるため、医薬品の服用上の注意、医薬品の写真、ジェネリック医薬品との薬価差などの医薬品情報を参照することができる。
【００４６】
以上のように、本実施形態に係る治験適合患者選択装置１００による患者情報登録及び処方箋・調剤情報データベースの構築により、種々の患者サービスの向上がもたらされると同時に、患者由来情報に基づいた服薬情報が格納された処方箋・調剤情報データベースの構築が可能になる。特に、処方箋・調剤情報データベースから経時的な患者服薬情報を提供できるため、治験における除外基準薬の被験者による服用を未然に防止することが可能であり、治験からの被験者脱落を防ぐことができる。
【００４７】
（本発明の実施形態に係る治験適合患者選択システム）
本発明の実施形態に係る治験適合患者選択システムは、治験適合患者選択装置１００と、当該治験適合患者選択装置１００にネットワークを介して接続される、患者又は患者の管理者に操作される患者端末３００と、薬局の薬剤師に操作される薬局端末４００と、を備えることを特徴とする。
【００４８】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、コンピュータ装置に内蔵されたＣＰＵ（Central  Processing  Unit）が、ＲＯＭ（Read  Only  Memory）又はハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベースやメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベースは、商用データベースであってよいが、単なるテーブルやファイルの集合体をも意味し、データベースの内部構造自体は問わないものとする。なお、データベースも１つのサーバ（データベースサーバ）と考えてもよい。
【００４９】
（本発明の実施形態に係る治験適合患者選択方法）
図５乃至７は、本発明の実施形態に係る治験適合患者選択方法のフローを示す図である。
本実施形態に係る治験適合患者選択方法は、患者又は患者の管理者に操作される患者端末３００と、薬局の薬剤師に操作される薬局端末４００と、にネットワークを介して接続される治験適合患者選択装置１００が実行する方法である。
【００５０】
患者情報登録及び処方箋・調剤情報データベースの構築において、本実施形態に係る治験適合患者選択装置１００が実行する治験適合患者選択方法は、図５に示すとおり、個別患者情報受信ステップと、患者識別情報送信ステップと、個別調剤情報受信ステップと、処方箋・調剤情報データベース構築ステップと、を有する。
【００５１】
ステップＳ１において、個別患者情報受信手段１１０は、患者端末３００から治験適合患者選択装置１００に送信された、当該患者に関する個別患者情報を受信する。
ステップＳ２において、患者識別情報送信手段１２０は、服薬管理装置１００から患者端末３００に、患者を識別する患者識別情報を送信する。
ステップＳ３において、個別調剤情報受信手段１３０は、薬局端末４００から服薬管理装置１００に送信された、患者識別情報と対応付けられた患者の個別調剤情報を受信する。
ステップＳ５において、処方箋・調剤情報データベース構築手段１５０は、患者識別情報と、個別患者情報と、個別調剤情報と、が対応付けられた処方箋・調剤情報データベースを構築して処方箋・調剤情報記憶手段１６０に記憶する。
【００５２】
本発明の実施形態に係る治験適合患者選択装置による治験適合患者選択において、本実施形態に係る治験適合患者選択装置１００が実行する治験適合患者選択方法は、図６に示すとおり、処方箋・調剤情報匿名化ステップと、治験適合患者情報データベース構築ステップと、を有する。
【００５３】
ステップＳ４において、処方箋・調剤情報匿名化手段１７０は、処方箋・調剤情報を匿名化処方箋・調剤情報に変換して、匿名化処方箋・調剤情報データベースを作成する。
ステップＳ５において、治験適合患者情報データベース構築手段２００は、匿名化処方箋・調剤情報と、前記治験情報とのデータ照合により、前記所定基準を満たす治験適合患者をスクリーニングして、治験適合患者情報データベースを構築して治験適合患者情報記憶手段に記憶する。
【００５４】
本実施形態に係る治験適合患者選択装置１００における患者服薬情報記憶方法は、図７に示すとおり、服薬支援情報送信ステップと、服薬完了情報受信ステップと、処方箋・調剤情報データベース構築ステップと、服薬実績情報送信ステップと、医薬品情報送信ステップと、を有する。
ステップＳ６において、服薬支援情報送信手段２２０は、治験適合患者選択装置１００から患者端末３００に、個別調剤情報に基づき、服薬を促す服薬支援情報を送信する。
ステップＳ７において、服薬完了情報受信手段２３０は、患者端末３００から、当該患者が服薬支援情報に基づいて服薬し、服薬が完了したことを示す服薬完了情報を受信する。
ステップＳ４’において、処方箋・調剤情報データベース構築手段１５０は、服薬完了情報が対応付けられた処方箋・調剤情報データベースを構築する。
ステップＳ８において、服薬実績情報送信手段２４０は、処方箋・調剤情報データベースを参照して、服薬完了情報を累積的に示す服薬実績情報を作成して、患者端末３００に服薬実績情を送信する。
ステップＳ９において、医薬品情報送信手段２５０は、患者端末３００に、医薬品情報データベース２８０の医薬品情報を送信する。
【００５５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５６】
１００    治験適合患者選択装置
１１０    個別患者情報受信手段
１２０    患者識別情報送信手段
１３０    個別調剤情報受信手段
１４０    調剤情報データベース
１５０    処方箋・調剤情報データベース構築手段
１６０    処方箋・調剤情報記憶手段
１７０    処方箋・調剤情報匿名化手段
１８０    匿名化処方箋・調剤情報記憶手段
１９０    治験情報記憶手段
２００    治験適合患者情報データベース構築手段
２１０    治験適合患者情報記憶手段
２２０    服薬支援情報送信手段
２３０    服薬完了情報受信手段
２４０    服薬実績情報送信手段
２５０    医薬品情報送信手段
２８０    医薬品情報データベース
３００    患者端末
４００    薬局端末
【図１】
0006338957.tif 000002
【図２】
0006338957.tif 000003
【図３】
0006338957.tif 000004
【図４】
0006338957.tif 000005
【図５】
0006338957.tif 000006
【図６】
0006338957.tif 000007
【図７】
0006338957.tif 000008